(57)【要約】本発明は、伝送ビデオデータストリームのより良い知覚画質を達成するための情報を与える方法、装置、及び信号形式に関する。装置（２０）内のビデオ及び情報送信ユニット（２８）は、ビデオデータストリームとそのビデオデータストリームに関する主観的品質についての情報を、１信号で送信する。信号は、ヘッダセクション、動きベクトルセクション、及び圧縮画像セクションを有する少なくとも１つのフレームを有する。ビデオデータストリームを処理する装置（３２）は、上述の信号を受信するビデオ及び情報受信ユニット（３４）と、ビデオデータストリームを復号化する復号化ユニット（３８）と、より良い近く画質を達成するためにビデオデータストリームを処理する際に主観的品質についての情報の使用を制御する制御ユニット（３６）を有する。
2005520416.tif 000002
【特許請求の範囲】
【請求項１】
伝送されたビデオデータストリームのより良い知覚画質を達成するための情報を与える方法であって、
符号化されたビデオデータストリームを、受信装置に伝送する段階と、
前記ビデオデータストリームに関する主観的品質についての情報を前記受信装置に伝送し、それにより、前記受信装置が、前記ビデオデータストリームを処理するときに、前記情報を使用することを可能にする段階と、
を有する方法。
【請求項２】
コンテンツ品質を考慮した非番組コンテンツ特性への処理の重要度を示すために、前記主観的品質についての情報を前記ビデオデータストリーム内に挿入する段階を更に有し、それにより、前記主観的品質についての情報が前記ビデオデータストリームから抽出されることを可能にする請求項１記載の方法。
【請求項３】
前記主観的品質についての情報は、電子番組ガイドからの番組情報を有する請求項１又は２記載の方法。
【請求項４】
前記主観的品質についての情報は、１フレーム当たり、１フレーム群当たり、又は１シーン当たりのコンテンツタイプについての情報を有する請求項１又は２記載の方法。
【請求項５】
前記主観的品質についての情報は、前記受信装置における非コンテンツ番組特性の優先順位付けを可能にする情報を有する請求項１乃至４のうちいずれか一項記載の方法。
【請求項６】
ビデオデータストリームを処理する方法であって、
ビデオデータストリームを受信する段階と、
前記ビデオデータストリームに関する主観的品質についての情報を受信する段階と、
より良い知覚画質を達成するために、前記ビデオデータストリームを処理するときに前記主観的品質についての情報を使用する段階と、
を有する方法。
【請求項７】
前記使用段階は、前記ビデオデータストリームを復号化するときに、非番組コンテンツ特性の制御のために前記主観的品質についての情報を使用する段階を有する請求項６記載の方法。
【請求項８】
前記使用段階は、復号化後の前記ビデオデータストリームの後処理のために前記主観的品質についての情報を使用する段階を有する請求項６又は７記載の方法。
【請求項９】
前記主観的品質についての情報は、コンテンツ品質を考慮した非番組コンテンツ特性への処理の重要度を示すために前記ビデオデータストリーム内に含まれ、
更に、前記主観的品質についての情報を前記符号化されたビデオデータストリームから抽出する段階を有する請求項６乃至８のうちいずれか一項記載の方法。
【請求項１０】
前記主観的品質についての情報は、電子番組ガイドからの番組情報を有する請求項６乃至９のうちいずれか一項記載の方法。
【請求項１１】
前記主観的品質についての情報は、１フレーム当たり、１フレーム群当たり、１又はシーン当たりのコンテンツタイプの情報を有する請求項９記載の方法。
【請求項１２】
前記非番組コンテンツ特性は、特性フレームレート、解像度、色深度、又は動き推定のいずれである請求項請求項７乃至１１のうちいずれか一項記載の方法。
【請求項１３】
前記使用段階は、
前記主観的品質についての情報に基づいて、様々な非番組コンテンツ特性に優先順位を付ける段階と、
前記付けられた優先順位に応じて、前記ビデオデータストリームの復号化を制御する段階と、
を有する請求項７乃至１２のうちいずれか一項記載の方法。
【請求項１４】
伝送されたビデオデータストリームのより良い知覚画像を達成するための情報を与える装置であって、
受信装置にビデオデータストリームを伝送するビデオ伝送ユニットと、
前記ビデオデータストリームに関する主観的品質についての情報を前記受信装置に伝送し、それにより、前記受信装置が、前記ビデオデータストリームを処理するときに、前記情報を使用することを可能にする情報伝送ユニットと、
を有する装置。
【請求項１５】
前記ビデオ伝送ユニット及び前記情報伝送ユニットは、同一の送信ユニット内に組込まれ、それにより、前記主観的品質についての情報は、コンテンツ品質を考慮した所与の非番組コンテンツ特性への処理の重要度を示すために前記ビデオデータストリーム内に含まれる請求項１４記載の装置。
【請求項１６】
前記主観的品質についての情報は、前記受信装置における非コンテンツ番組特性の優先順位付けを可能にする情報を有する請求項１４又は１５記載の装置。
【請求項１７】
ビデオデータストリームを処理する装置であって、
ビデオデータストリームを受信するビデオ受信ユニットと、
前記ビデオデータストリームに関する主観的品質についての情報を受信する情報受信ユニットと、
前記ビデオデータストリームを復号化する復号化ユニットと、
より良い知覚画質を達成するために、前記ビデオデータストリームを処理するときの前記主観的品質についての情報の使用を制御する制御ユニットと、
を有する装置。
【請求項１８】
前記制御ユニットは、前記ビデオデータストリームを復号化するときに、非番組コンテンツ特性の制御のために前記主観的品質についての情報を使用するよう構成される請求項１７記載の装置。
【請求項１９】
前記主観的品質についての情報は、前記ビデオデータストリーム内に含まれ、
前記ビデオ受信ユニット及び前記情報受信ユニットは、同一の受信ユニット内に組込まれ、
前記制御ユニットは、前記ビデオデータストリームから前記ビデオデータストリームに関する前記主観的品質についての情報を抽出するよう構成される請求項１７又は１８記載の装置。
【請求項２０】
前記制御ユニットは更に、前記主観的品質についての情報に基づいて様々な非番組コンテンツ特性に優先順位を付け、且つ、前記付けられた優先順位に応じて前記ビデオデータストリームの復号化を制御するよう構成される請求項１７乃至１９のうちいずれか一項記載の装置。
【請求項２１】
前記復号化されたビデオデータストリームの後処理のためのポストプロセッサを更に有し、
前記制御ユニットは、前記ポストプロセッサの制御のために前記主観的品質についての情報を使用するよう構成される請求項１７乃至２０のうちいずれか一項記載の装置。
【請求項２２】
ビデオデータストリームを伝送する際に用いる信号形式であって、
ヘッダセクションと、
動きベクトルセクションと、
圧縮画像セクションと、
を有する少なくとも１つのフレームを有し、
前記セクションのうち少なくとも１つは、前記ビデオデータストリームに関する主観的品質についての情報を有し、それにより、受信装置が、前記ビデオデータストリームを処理するときに、前記主観的品質についての情報を使用することを可能であるようにする信号形式。
【請求項２３】
前記主観的品質についての情報は、前記受信装置における非コンテンツ番組特性の優先順位付けを可能にする情報を有する請求項２１記載の信号形式。
【請求項２４】
請求項２２又は２３に記載の信号形式が格納された記憶媒体。
【発明の詳細な説明】
【技術分野】
【０００１】
本発明は、伝送されたビデオデータストリームのより良く知覚される画質を達成することに係る。
【背景技術】
【０００２】
通常は、圧縮画像と動きベクトルの形で与えられるビデオデータストリームは、様々な方法で復号化可能である。しかしながら、ストリーミングされたビデオが表示されるとき、例えば、フレームレート、解像度、及び量子化深度（quantisation depth）といった非番組コンテンツ特性は、知覚される主観的品質に依存して異なる重要度を有する。しかし、このことは、今日のビデオデコーダでは考慮されていない。
【０００３】
グラフィカル３Ｄアプリケーションに、複雑さパラメータを与えることが周知である。この情報は、複雑さが高い場合に、復号化の品質を下げるよう使用可能である。このことは、画像が複雑な場合に、デコーダが利用可能な時間内に３Ｄ画像を生成可能となるよう行われる。
【０００４】
米国特許第５，０２７，２０６号は、ビデオストリームに含まれるフィルムモードシグナリングビットを記載する。しかし、このような包含は、それはフィルムであることだけを示し、例えばどのタイプのフィルムであるかといったフィルムの主観的な品質についての情報は示さない。この結果、これは、最適な復号化には使えない。何故なら、フィルムは、多くの動作が含まれるいわゆるアクション映画でも、より動作の少ないドラマ又は野生生物映画でもあり得るからである。
【発明の開示】
【発明が解決しようとする課題】
【０００５】
本発明は、デコーダ及び／又はポストプロセッサの制限された復号化能力に関連して伝送されたビデオストリームのより良い知覚画質を与えることを目的とする。
【課題を解決するための手段】
【０００６】
このために、本発明は、独立請求項に記載する方法、装置、信号形式、及び記憶媒体を提供する。有利な実施例は従属請求項に記載する。
【０００７】
フレーム、フレーム群、又はシーンといったビデオストリームにおける様々なエレメントに対し、ビデオコンテンツが表示される環境に応じて非番組コンテンツ特性の要件は異なる。例えば、色は、野生生物を映すビデオストリームにおいてより重要であり、その一方で、ビデオストリームがアクションフィルムである場合には、対象物の動作に関する情報がより重要である。今日では、このような異なる面は、ビデオストリームを処理する際には考慮されておらず、従って、今日のビデオデコーダ及びポストプロセッサは、最適に使用されていない。更に、今日のビデオデコーダの処理能力は限定されており、これは、エンドユーザに提示されるビデオデータストリームを復号化するときに、様々な非番組コンテンツ特性に関して妥協をしなければならないということを意味する。
【０００８】
本発明は、ビデオデコーダにおける様々な復号化能力のより良い使用のために、ビデオデータストリームにおいて対象物が示される様々なコンテキストのより良い知識を与えることによって、上述した目的を達成する。
【０００９】
本発明の１つの面では、上述の目的は、伝送されたビデオデータストリームのより良い知覚画質を達成するための情報を与える方法によって達成される。この方法は、符号化されたビデオデータストリームを、受信装置に伝送する段階と、ビデオデータストリームに関する主観的品質についての情報を受信装置に伝送し、それにより、受信装置が、ビデオデータストリームを処理するときにその情報を、使用することを可能にする段階を有する。
【００１０】
この面によると、上述の課題は、伝送されたビデオデータストリームのより良い知覚画像を達成するための情報を与える装置によっても解決される。この装置は、受信装置にビデオデータストリームを伝送するビデオ伝送ユニットと、ビデオデータストリームに関する主観的品質についての情報を受信装置に伝送し、それにより、受信装置が、ビデオデータストリームを処理するときに、その情報を使用することを可能にする情報伝送ユニットを有する。
【００１１】
本発明の別の面では、上述の課題は、ビデオデータストリームを処理する方法によっても解決される。この方法は、ビデオデータストリームを受信する段階と、ビデオデータストリームに関する主観的品質についての情報を受信する段階と、より良い知覚画質を達成するために、ビデオデータストリームを処理するときに主観的品質についての情報を使用する段階を有する。
【００１２】
この面によると、上述の課題は、ビデオデータストリームを処理する装置によっても解決される。この装置は、ビデオデータストリームを受信するビデオ受信ユニットと、ビデオデータストリームに関する主観的品質についての情報を受信する情報受信ユニットと、ビデオデータストリームを復号化する復号化ユニットと、より良い知覚画質を達成するために、ビデオデータストリームを処理するときの主観的品質についての情報の使用を制御する制御ユニットを有する。
【００１３】
本発明の更なる面では、上述の課題は、ビデオデータストリームを伝送する際に用いる信号形式によっても解決される。この信号形式は、ヘッダセクションと、動きベクトルセクションと、圧縮画像セクションと、を有する少なくとも１つのフレームを有し、セクションのうち少なくとも１つは、ビデオデータストリームに関する主観的品質についての情報を有し、それにより、受信装置が、ビデオデータストリームを処理するときに、主観的品質についての情報を使用することを可能であるようにする。
【００１４】
最初に述べた面の好適な変形は、主観的品質についての情報をビデオデータストリーム内に与えることによって更なる利点を提供する。
【００１５】
本発明の様々な面の好適な変形では、主観的品質についての情報は、デコーダ内での非コンテンツ番組特性の優先順位付けを可能にする。
【００１６】
本発明の１つの変形では、主観的品質についての情報は更に、ポストプロセッサのより良い使用を可能にする。
【００１７】
表現主観的品質とは、アクションフィルム若しくはシーン、又はそのようなシーンのフレーム若しくはフレーム群といったものを意味する。従って、主観的品質は、１ビデオシーケンス又は全ビデオデータストリームにおいてどれくらい動作があるか、色があるか、又は或いは詳細がどれくらいかといったことに関連する。番組コンテンツは、ビデオデータストリーム中に実際に示される物又は人といった対象物を意味する。従って、主観的品質は、ビデオデータストリーム内の対象物が与えられるコンテキストに関連する。
【００１８】
有するという用語は、制限的に解釈されるものではなく、含むという用語と等価であると理解されるべきである。
【００１９】
２００１年１０月４日に出願されたＰＣＴ出願ＥＰ０１／１１５６５は、ビットストリームに付加される品質タグを開示する。このタグは、ビットストリームにおける位置に関する画質を示す。述べられている１つの品質尺度は、歪みである。これは、本発明による主観的品質とはかなり異なる。
【００２０】
従って、本発明の基本的な考えは、主観的品質についての情報を提供することであり、これは、復号化する際に様々な非番組コンテンツ特性間で優先順位を付けるのに必要な手段をデコーダに与える。
【００２１】
本発明の更なる利点は、以下の説明から明らかとなろう。
【発明を実施するための最良の形態】
【００２２】
本発明は、添付図面を参照しながらより詳細に説明する。
【００２３】
図１において、本発明のビデオ信号１０を示す。このビデオ信号は、例えば、ＭＰＥＧ−２、ＭＰＥＧ−４といった任意の既知の規格に応じたビデオ信号であることが可能であり、又はより適切なのはＭＰＥＧ−２１信号である。ビデオ信号１０は、圧縮された画像セクション１２と、動きベクトルセクション１４と、ヘッダセクション１６からなるビデオデータの１フレームを有する。ヘッダセクション１６には、本発明の主観的ビデオ品質パラメータ１８が含まれる。この情報は、各フレームに、１フレーム群の１つのフレームに、又は、多数のフレーム群を有するシーンの始まりに、入れることが可能である。この情報は、例えば、特定のシーンが多くの動作を有する又は基本的にゆっくりであるといったように番組コンテンツのタイプの指示としても見なされる。そのようなストリームに入れられる情報量は、実際には、ビデオストリームプロデューサが費やしたいと望む仕事量に依存する。図１は、ビデオデータストリームの第１のフレームのみを示す。ストリームは、通常、フレーム群にまとめられる多数のフレームを有し、主観的ビデオ品質パラメータは、１フレーム、１フレーム群、又は１シーンレベルにおいてそれらのパラメータが更新されるまで有効である。
【００２４】
図２は、より良い知覚画質を達成するための情報を与えるビデオコーダ又は装置２０を示すブロック図である。このビデオコーダは、物理チャネル３０を介して、ビデオデータストリームを処理する装置３２又は受信装置に接続される。物理チャネル３０は、銅線、光、又は無線といった任意のタイプのチャネルで有り得る。ビデオコーダ２０は、ソースエンコーダ２２を有する。ソースエンコーダは、ビデオデータストリームを符号化する。コーダ２０は更に、主観的パラメータメモリ２４を有する。ソースエンコーダ２２と主観的パラメータメモリ２４は、マルチプレクサ２６に接続し、マルチプレクサ２６は、主観的パラメータ１８を、ソース符号化された圧縮ビデオデータストリームにおける１つのフレームのヘッダー内に多重化する。マルチプレクサ２６は、ビデオ及び情報伝送ユニット又は送信器２８に接続され、これは、フォーマット化又は潜在的なチャネル符号化を含み得る。送信器２８は、次に、物理チャネル３０に接続される。物理チャネルは、受信装置３２のビデオ及び情報受信ユニット又は主観的パラメータ抽出器３４に接続される。主観的パラメータ抽出器３４は、復号化ユニット又はソースデコーダ３８に接続される。制御ユニット３６が、パラメータ抽出器３４とソースデコーダ３８に接続される。最後に、ポストプロセッサ４０が、ソースデコーダ３８に接続される。制御ユニット３６は、ポストプロセッサ４０にも接続される。
【００２５】
次に、本発明の１つの好適な実施例を、図１及び図２を参照して説明する。ビデオデータストリームの第１のフレーム群の第１のフレームが、ソースエンコーダ２２内で生成される。このストリームは、まだ、主観的ビデオ品質パラメータを有さない。この第１のフレームに対して、主観的パラメータメモリ２４は、２つの値、即ち、次のフレーム群に示される動作のタイプを示す第１の値と、次のフレーム群の色の重要性を示す第２の値を提示する。これらの２つの値は、異なる重要度を有する、即ち、１つの値は、もう一方の値より重要であるよう設定される。一旦パラメータがフレーム内に挿入されると、フレームは、信号１０として、物理チャネル３０を介して受信装置３２に送られるよう送信器２８に転送される。これらのパラメータは、ビデオデータストリームの次の幾つかのフレームの主観的品質を示す。その後に、新しいパラメータが、次のフレーム群について挿入される。これは、ビデオデータストリーム全体に対して続けられる。
【００２６】
受信装置３２は、信号１０の形でフレームを受信する。受信装置３２はフレームを受信すると、最初に、多重分離し、主観的パラメータ抽出器３４においてビデオデータストリームからパラメータを抽出する。抽出されたパラメータは、制御ユニット３６に転送され、一方、残りのビデオデータストリームは、ソースデコーダ３８に転送される。制御ユニット３６は、受信した第１のパラメータ及び第２のパラメータに依存して第１の制御信号及び第２の制御信号を生成し、ソースデコーダに、ビデオデータストリームを復号化するときに、これらの制御信号に応じて非番組コンテンツ特性を設定するようにさせる。第１のパラメータに依存して設定される第１の制御信号は、復号化の際に用いられるフレームレートを設定し、一方、第２のパラメータは、色深度を設定する。これらのパラメータは、この時点における好適なパラメータの例である。より巧妙な且つ複雑なパラメータを代わりに用いることが可能である。制御ユニット３６は、１つがもう１つより重要となる２つのパラメータ間の優先順位付けスキームも用いる。このことは、第１のパラメータが、番組は大量の動作を含むことを示し、第２のパラメータが、色の重要性が低いことを示す場合、制御ユニットは、解像度に対し通常用いられるビット数より少ないビット数を用いながら高いフレームレートを有するようソースデコーダ３８を制御することを意味する。ビデオデータストリームの第１のフレームを復号化した後、ソースデコーダ３８は、復号化ビデオデータを、ポストプロセッサ４０に転送する。ポストプロセッサ４０は、復号化ビデオデータストリームに幾つかの後処理を行う。ここでは、制御ユニット３６は、最適な知覚画質を達成するために、受信したパラメータに基づいてポストプロセッサ４０における設定又は動作に影響を与える。好適な実施例では、動き補償が影響を受ける。しかし、ノイズ減少、フレーム／フィールドアップコンバージョン等に影響を与えることも可能である。デコーダは、次のフレーム群の次の第１のフレームを受信するまで、同じ優先順位付けスキームを用いて、第１のフレーム群内の次のフレームを復号化し続ける。そして、上述した抽出及び優先順位付けが繰り返される。これは、上述したような方法で、ビデオデータストリーム全体が復号化されるまで続けられる。
【００２７】
次に、本発明のより良い画質を達成するために情報を与える方法を、図３を参照して説明する。図３は、本発明の方法のフローチャートを示す。第１に、段階４２において、ビデオデータストリームが生成される。その後で、段階４４において、第１のパラメータ及び第２のパラメータの形である、ビデオデータストリームに関する主観的品質についての情報が、ビデオデータストリーム中に挿入される。この段階の後、段階４６において、ビデオデータストリームは、受信ユニットに伝送され、それにより、ビデオデータストリームを復号化するときに、非番組コンテンツ特性の優先順位付けを行うことが可能となる。上述した段階は、その後、ビデオデータストリームの全後続のフレーム群の第１のフレームに対して繰り返される。
【００２８】
次に、図５を参照して、ビデオデータストリームの処理方法を説明する。図５は、その方法のフローチャートを示す。最初に、段階４８において、ビデオデータストリームが受信される。その後に、段階５０において、第１のパラメータ及び第２のパラメータの形である主観的品質についての情報が、ビデオデータストリームにおける第１のフレーム群の第１のフレームから抽出される。この後、段階５２において、第１のフレーム群における残りのデータの復号化が行われるが、復号化の非番組コンテンツ特性は、受信した情報に応じて優先順位が付けられる。このことは、非番組コンテンツ特性は、優先順位付けによって異なる注目を得ることを意味する。量子化深度及び解像度は、例えば、過負荷の状況のときには低くされ、一方でフレームレートは、結果として所望のレベルに維持されることが可能である。このことは更に、主観的品質情報が、ビデオデータストリームを復号化するときに用いられることも意味する。その後、段階５４において、後処理も、主観的品質についての受信情報に応じて制御される。上述した段階は、その後、各フレーム群に対し繰り返される。
【００２９】
本発明の上述した好適な実施例では、制限されたリソースの環境においてビデオデータストリームをより良く復号化する方法を説明している。本発明では、主観的ビデオ品質に関する情報は、デコーダに転送され、デコーダは、この主観的情報を、復号化する際に、非番組コンテンツ特性の優先順位付けに用いる。このような特性は、例えば、フレームレート、解像度、及び量子化深度であり、これらは、ビデオデータストリームがこれらの特性について異なる精度レベルで復号化されるよう優先順位が付けられることが可能である。その場合、１フレーム、１フレーム群、又は１シーンについて、１つの特性が別の特性より高い注目を得る。このようにすると、たくさんの動作情報を有するフレームは、例えば、フレームレートといった動作に重要な非番組特性が高い優先順位を得ることができるよう指示されることが可能であり、その一方で、動作のコンテンツが少ないフレームは、解像度及び量子化深度の優先順位を得ることができ、それにより、例えば、色が高い解像度を得ることができる。本発明の好適な実施例では、ビデオデータストリームの様々な部分が異なるように設定されたパラメータを有することが可能であり、このことは、様々なタイプのシーンが同じストリーム中に示されていても、ビデオデータストリームを、視聴者にとってより良い知覚品質で復号化することを可能にする。
【００３０】
本発明は、多くの方法で変更することが可能である。最初に、２つのパラメータを与えることを記載した。本発明は、２つのパラメータに制限されず、２つ以上のパラメータを与えることが可能である。更に、パラメータと非コンテンツ特性との間に、１対１の対応がある必要はない。パラメータは、例えば、全ての又は一部の非コンテンツ特性の優先順位を決定するために用いることも可能である。更に、フレームレート、解像度、及び量子化深度は、本発明に応じて優先順位が付けられる可能な非番組コンテンツ特性のほんの幾つかに過ぎない。従って、スケーラブルデコーダの動作を制御可能な多数のパラメータがある。
【００３１】
本発明では、主観的ビデオ品質パラメータに基づいた後処理における幾つかの特性の制御も行われる。このことは、復号化の制御に追加して行われるとして説明した。しかし、この制御は、ビデオデコーダの非番組コンテンツ特性の制御の代わりに行うことも可能である。本発明のもう１つの変形では、主観的ビデオ品質パラメータは、各フレーム群に、又は、１フレーム群の最初のフレーム内に与えられる必要がない。パラメータは、１フレーム群の任意のフレーム内に、各フレーム内に、各シーン内に、又は、全ビデオデータストリームついて１回だけ与えられることが同様に可能である。パラメータが、全ストリームに対して１回だけ与えられる場合、優先順位付けは、全ビデオデータストリームに対して１回だけ行われる。この場合、ビデオデータストリームの様々なシーン、フレーム、又はフレーム群に対し調節がなく、同じ優先順位付けが、全ビデオデータストリームに対し適用される。この特別な場合、情報は、実際のビデオデータストリーム内に与えられる必要はなく、例えば、電子番組ガイドから受信することが可能である。更に、主観的ビデオ品質パラメータを、１シーン、１フレーム、又は１フレーム群がこの情報を用いて制御される場合であっても、別個の情報ストリーム又は別個の情報信号で与えることが可能である。しかし、復号化の間に復号化制御が変更される場合は、ビデオデータストリームは、主観的ビデオ品質パラメータを有する信号と同期されなければならない。この場合、ビデオデータストリームと情報ストリームは、同時に受信することができる。代替として、主観的ビデオ品質パラメータは、予め受信又はダウンロードすることが可能であり、また、必ずしもビデオデータストリームと同じソースである必要はない。その場合、制御ユニットは、（２次的なストリームを介して）ダウンロードされた又は受信したパラメータに応じてビデオストリームの異なる復号化を適用するために、情報のソースと同期する必要がある。
【００３２】
上述の実施例は、本発明を制限するのではなく説明するものであり、当業者は、特許請求の範囲から逸脱することなく多くの代替の実施例を設計することが可能であることを明記したい。請求項において、括弧内に置かれる任意の参照符号は、請求項を制限すると考えるべきではない。「有する」という言葉は、請求項に記載される構成素子及び段階以外の構成素子及び段階の存在を排除するものではない。本発明は、幾つかの別個の構成素子を有するハードウェア、及び、好適にプログラムされたコンピュータによって実施されることが可能である。幾つかの手段を列挙する装置の請求項においては、これらの手段のうち幾つかは、同一のハードウェアアイテムとして具現化されることが可能である。互いに異なる従属項に記載される特定の手段という事実は、これらの手段の組合せが、有利なように用いることができないことは示唆しない。
【図面の簡単な説明】
【００３３】
【図１】本発明の１つの実施例による主観的ビデオ品質パラメータシグナリングを有するビデオデータストリームを示す図である。
【図２】受信ユニットに主観的ビデオ品質についての情報を送る装置と、主観的ビデオ品質情報を受信する受信ユニットを示すブロック図である。
【図３】主観的ビデオ品質パラメータを送る方法のフローチャートである。
【図４】主観的ビデオ品質パラメータを受信する方法のフローチャートである。
【図１】
2005520416.tif 000003
【図２】
2005520416.tif 000004
【図３】
2005520416.tif 000005
【図４】
2005520416.tif 000006
【国際調査報告】
2005520416.tif 000007
2005520416.tif 000008
2005520416.tif 000009